(57)【要約】【課題】温度上昇に伴い発生する恐れのある装置の故障や装置寿命への影響を防止することができる画像形成装置を提供すること。【解決手段】加熱ローラと、該加熱ローラの内部にコイルとを有して成る誘導加熱方式の定着装置を備えた画像形成装置において、前記コイルより発生する前記ヒートローラの鎖交磁束の分布を局所的に変化させるような前記鎖交磁束の遮蔽手段と、前記遮蔽手段を前記鎖交磁束部を遮蔽する第１位置と遮蔽しない第２位置へと移動させるための駆動手段と、前記加熱ローラの表面温度を計測するための温度計測装置と、前記駆動手段による前記遮蔽手段の駆動が正常に終了したか異常終了したかを検知する駆動検知手段とを有し、もし前記駆動検知手段が前記遮蔽手段の駆動を異常終了したことを検知し、且つ、前記温度計測装置による温度が第１基準値を超えた場合は、前記誘導加熱制御を停止する。【選択図】図１
2006195102.tif 000002
【特許請求の範囲】
【請求項１】
円筒状で且つ金属導体から成る加熱ローラと、該加熱ローラの内部にコイルとを有して成る誘導加熱方式の定着装置を備えた画像形成装置において、
前記コイルより発生する前記ヒートローラの鎖交磁束の分布を局所的に変化させるような前記鎖交磁束の遮蔽手段と、前記遮蔽手段を前記鎖交磁束部を遮蔽する第１位置と遮蔽しない第２位置へと移動させるための駆動手段と、前記加熱ローラの表面温度を計測するための温度計測装置と、前記駆動手段による前記遮蔽手段の駆動が正常に終了したか異常終了したかを検知する駆動検知手段とを有し、もし前記駆動検知手段が前記遮蔽手段の駆動を異常終了したことを検知し、且つ、前記温度計測装置による温度が第１基準値を超えた場合は、前記誘導加熱制御を停止することを特徴とする画像形成装置。
【請求項２】
記誘導加熱制御を停止した状態では、前記定着装置を通過する単位時間当りの記録紙の通過枚数を制限する制御を行うことを特徴とする請求項１記載の画像形成装置。
【請求項３】
前記誘導加熱制御が停止した状態で前記温度計測装置による温度が第２基準値以下になった場合は、前記誘導加熱制御を再開することを特徴とする請求項１又は２記載の画像形成装置。
【請求項４】
前記定着装置上の前記単位時間当たりの記録紙の通過枚数が制限されている場合に、前記誘導加熱制御がされた時、前記通過枚数の制限を解除することを特徴とする請求項１〜３の何れかに記載の画像形成装置。
【発明の詳細な説明】
【技術分野】
【０００１】
本発明は、金属導体より成る円筒状の定着ローラ内部にコイルが実装され、コイルに対して高周波電流を投入することにより定着ローラに生ずる誘導渦電流による発熱を利用した誘導加熱方式の定着装置を備えた画像形成装置に関するものである。
【背景技術】
【０００２】
複写機、ファクシミリ、プリンタ等の画像形成装置においては、生成すべき画像データを光学により感光ドラム上に電位として潜像化し、潜像上にトナーを付着させ現像し、更に記録紙に前述のトナー像を転写させ、トナー像の乗った記録紙を加熱・加圧する定着装置を通過させることにより、記録紙上に画像を形成させる電子写真方式が広く普及している。
【０００３】
前述の定着装置においては、ローラ間に記録紙上を通過させ加圧し、更にローラ内に発熱手段を持ち、発熱手段を発熱させることで記録紙上のトナーを熱溶解させ、記録紙上にトナー像を定着させる構成を持つ画像形成装置が多く存在する。特に、単位時間当たりの画像形成枚数が多い高速な画像形成を行う画像形成装置においては、ローラ定着が一般的である。
【０００４】
従来、前記定着ローラとしては、ローラ内部にハロゲンランプ等の発熱手段を配置し、発熱手段からの輻射熱等により前記ローラ表面を加熱するようにしたものが一般的であった（以下、ハロゲン方式と言う）。
【０００５】
しかしながら、ハロゲン方式の定着ローラにはローラ表面が適温に達するまでに比較的長い時間を要する。又、発熱手段に対し投入する電力と発熱する熱量の変換効率が悪い等の幾つかの問題がある。
【０００６】
これらの問題を解決できるものとして誘導加熱方式（以下、ＩＨ方式と言う）の定着ローラが提案されている。
【０００７】
ＩＨ方式の定着ローラでは、金属導体から成る定着ローラの内部に、コイルが配置された構成となっている。前述のコイルに高周波電流を流し、この高周波電流によって生じた高周波磁界で金属導体の定着ローラに誘導渦電流を発生させる。誘導渦電流は金属導体の表皮抵抗によって定着ローラそのものが発熱する。
【０００８】
このＩＨ方式の定着ローラは、ハロゲンランプ等による間接加熱に比べて比較的短時間で定着ローラを昇温させることが可能である。更に、定着ローラ以外の部分の発熱や光漏れ等によるエネルギーロスを少なく、発熱手段に対し投入する電力と発熱する熱量の変換効率良いという特徴を有している。
【０００９】
ところで、ハロゲン方式やＩＨ方式の定着ローラでは、ローラ両端からの熱の放出が存在する。又、ローラを記録紙が通過する際、ローラの熱を大量に奪う。このためこれに合わせて定着ローラを加熱する必要があり、ローラを記録紙が通過しない部分の温度上昇が発生する。これらの要因によりローラ回転軸心方向の温度分布が均一でない状態が発生する。
【００１０】
特に、ユーザの利便性を高めるために、定着ローラの熱容量を減らし、定着ローラ温度上昇速度を速めた場合、記録紙を通紙させた場合の熱放出が大きく、更にＩＨ方式の場合は発熱効率が高いため、非通紙部の温度上昇が速く、温度分布の不均一が発生し易い。
【００１１】
上述のようにローラの温度分布が均一でない状態で、記録紙を通過させた場合、記録紙上へのトナーの定着性に不均一が生じる原因となる。又、記録紙に対しても不均一な過熱によりシワ等の発生の要因となり、画像の品質を著しく低下させる要因となる。
【００１２】
そこで、特許文献１では、上記のようなローラを記録紙が通過しない部分の温度上昇を防止するために、記録紙が通過しない部分の高周波磁界を遮断する部材を金属導体（以下、遮蔽板と記述）の定着ローラとコイルの間に設置する構成が公開されている。
【００１３】
【特許文献１】特開２００２−０４０８４３号公報
【発明の開示】
【発明が解決しようとする課題】
【００１４】
ここで、上述の記録紙が通過しない部分の高周波磁界を遮断する部材を金属導体の定着ローラとコイルの間に設置する構成を採用した定着装置の制御を考える。このとき、通紙中の紙幅に合わせて遮蔽板を駆動させた場合、定着器の加熱面より狭い紙幅が連続して通過した場合、定着ローラで遮蔽板により遮蔽された位置が逆に定着温度より大幅に低下してしまう状況が発生する。このような状況で、遮蔽位置を通過するような紙幅の記録紙が通過した場合、定着不良が発生してしまう。
【００１５】
上述のような場合を回避するために、定着ローラの中央部と端部の温度差をトリガとして遮蔽板を駆動する構成が考えられる。
【００１６】
一方、遮蔽板の駆動を考えた場合、定着ローラとフェライトコアの隙間の間を通過させなければならないため、振動その他の要因で、遮蔽板が途中でスタックする可能性がある。又、遮蔽板の駆動制御にステッピングモータを使用した場合、脱調によるモータの駆動異常の発生も考えられる。
【００１７】
もし定着器の加熱面より狭い紙幅が連続して通過している時に、上述のような現象が仮に発生した場合を考える。このとき、定着器の通紙部は熱量が奪われ、定着器を加熱し、熱量を供給しなければならない。又、定着器の非通紙部は、熱供給が増え、加熱してしまう状況が発生する。
【００１８】
遮蔽板はこのような定着器の非通紙部の加熱を防止するために存在するが、何らかの要因で機能しなくなった場合、定着器の非通紙部の温度上昇により、装置寿命の劣化や、最悪の場合、装置自身の故障を引き起こし兼ねない。
【００１９】
しかし、ここで挙げたような状況が発生した場合でも、安全性を維持しつつも、可能な限り、画像形成出力を続けることによって、ユーザビリィティの向上を図ることが求められる。
【００２０】
本発明は上記事情に鑑みてなされたもので、その目的とする処は、遮蔽板が磁束を遮蔽できない位置からの駆動が不可能な場合でも、加熱ローラ端部の温度上昇が発生した場合は加熱制御を停止することで、温度上昇に伴い発生する恐れのある装置の故障や装置寿命への影響を防止することができる画像形成装置を提供することにある。
【課題を解決するための手段】
【００２１】
上記目的を達成するため、請求項１記載の発明は、円筒状で且つ金属導体から成る加熱ローラと、該加熱ローラの内部にコイルとを有して成る誘導加熱方式の定着装置を備えた画像形成装置において、前記コイルより発生する前記ヒートローラの鎖交磁束の分布を局所的に変化させるような前記鎖交磁束の遮蔽手段と、前記遮蔽手段を前記鎖交磁束部を遮蔽する第１位置と遮蔽しない第２位置へと移動させるための駆動手段と、前記加熱ローラの表面温度を計測するための温度計測装置と、前記駆動手段による前記遮蔽手段の駆動が正常に終了したか異常終了したかを検知する駆動検知手段とを有し、もし前記駆動検知手段が前記遮蔽手段の駆動を異常終了したことを検知し、且つ、前記温度計測装置による温度が第１基準値を超えた場合は、前記誘導加熱制御を停止することを特徴とする。
【００２２】
請求項２記載の発明は、請求項１記載の発明において、記誘導加熱制御を停止した状態では、前記定着装置を通過する単位時間当りの記録紙の通過枚数を制限する制御を行うことを特徴とする。
【００２３】
請求項３記載の発明は、請求項１又は２記載の発明において、前記誘導加熱制御が停止した状態で前記温度計測装置による温度が第２基準値以下になった場合は、前記誘導加熱制御を再開することを特徴とする。
【００２４】
請求項４記載の発明は、請求項１〜３の何れかに記載の発明において、前記定着装置上の前記単位時間当たりの記録紙の通過枚数が制限されている場合に、前記誘導加熱制御がされた時、前記通過枚数の制限を解除することを特徴とする。
【発明の効果】
【００２５】
請求項１記載の発明によれば、遮蔽板が磁束を遮蔽できない位置からの駆動が不可能な場合でも、加熱ローラ端部の温度上昇が発生した場合は加熱制御を停止することで、温度上昇に伴い発生する恐れのある装置の故障や装置寿命への影響を防止することが可能である。
【００２６】
請求項２記載の発明によれば、加熱制御停止状態では、記録紙が定着装置を通過する枚数を制限することで、定着装置から記録紙に奪われる熱量を最低限に食い止めることができる。結果として、記録紙に形成された画像の品質を保持することが可能である。
【００２７】
請求項３及び４記載の発明によれば、加熱制御が再開可能な状態を検知した場合には、加熱制御を再開し、先に述べた記録紙が定着装置を通過する枚数の制限を解除することで、画像形成装置本来の設計を満たす画像形成出力の生成が可能となる。
【発明を実施するための最良の形態】
【００２８】
以下に本発明の実施の形態を添付図面に基づいて具体的に説明する。
【００２９】
図１はこの発明の画像形成装置が適用された実施の形態の内部構成図である。この画像処理装置は、記録紙に原稿画像を載せ出力する装置である本体画像出力部１０と、原稿から画像データを読み取る装置である本体画像入力部１１と、本体画像入力部１１の上部に装着された自動原稿送り装置１２と、本体画像出力部１０から排出されるコピー用紙を複数のビンに仕分けして排出するためのソータ１３とを備えている。
【００３０】
この画像形成装置はディジタル複写機であり、原稿から画像データを読み取る装置である本体画像入力部１１のＣＣＤにより画素化され画像データとして装置に読み込まれ、必要な画像処理が行われた後、画像メモリに蓄えられる。その画像データを本体画像出力部１０に転送し、画像再生して記録紙にコピーされる。
【００３１】
本体画像入力部１１は、入力部の上面の原稿台に積載された原稿を照射しながら走査する光源２１を備える。光源２１は、図外の光学系モータから駆動力を得て、図１の左右方向に往復駆動する。光源２１から発生した光は、積載された原稿により反射され、光学像が得られる。その光学像をミラー２２，２３，２４及びレンズ２５を介してＣＣＤ２６に伝送される。又、ミラー２２，２３，２４は、光源２１と一体的に駆動される。ＣＣＤ２６は、光を電気信号に変換する素子により構成されており、この素子の働きにより伝送されてきた光学像が電気信号に変換され、更にディジタル信号（画像データ）に変換される。
【００３２】
これらの画像入力装置における各調整値はバックアップ記憶装置により記憶される。
【００３３】
読み込まれた原稿の画像データは、種々の補正処理とユーザの希望する処理による画像処理が加えられ、画像メモリ（図外）に蓄積される。
【００３４】
これらの画像処理装置における各調整値はバックアップ記憶装置により記憶される。
【００３５】
本体画像出力部１０は、画像メモリに蓄積された画像データを読み出し、ディジタル信号からアナログ信号に再変換し、更に露光制御部（図外）により適正な出力値に増幅され、光学照射部２７により光信号に変換される。その光信号は、スキャナー２８、レンズ２９及びミラー３０を伝播して、感光ドラム３１上に照射され静電による潜像が形成される。この潜像は、トナーにより画像を形成し、本体内を搬送されてくる記録紙上に転写される。
【００３６】
トナー像が転写された記録紙は、定着ローラ３２に搬送される。定着ローラ３２は、ＩＨ方式の発熱手段が内包されており、記録紙を加熱・加圧することで、トナー像を定着させる機能を提供している。定着ローラ３２の詳細は図２で説明される。
【００３７】
定着後、記録紙はソータ１３に搬送される。
【００３８】
ソータ１３は、本体画像出力部１０の左側に設置されている装置であり、本体画像出力部１０から出力された記録紙を排紙トレイ３３に仕分けして排紙する処理を行う。排紙トレイは、上記本体制御部（図外）により制御され、出力された記録紙紙は制御部の指示した任意の排紙トレイに排出される。
【００３９】
給紙トレイ３４，３５は本体下部にあり、記録紙を或る程度蓄積しておくことが可能である。制御部により、給紙トレイ２４，３５から蓄積された記録紙を搬送し画像出力を行う。給紙デッキ３６は本体画像出力部１０の左側に設置されている装置で、記録紙を大量に蓄積しておくことが可能である。給紙トレイ３４，３５と同様に制御部により蓄積された記録紙を搬送し画像出力を行う。
【００４０】
給紙トレイ３４，３５は操作者により紙がセットされるが、その際、紙のサイズや向きの設定が行われるが、このデータはバックアップ記憶装置により記憶される。
【００４１】
本体画像出力部１０の左側に、操作者が少数の任意種類のコピー用紙を比較的容易に給紙することが可能となる手差しトレイ３７が設置されている。又、この手差しトレイは、ＯＨＰシートや厚紙、はがきサイズ紙等、特殊な記録用紙を使用する場合にも使用される。
【００４２】
給紙ローラ３８，３９，４０，４１，４２は紙搬送ローラであり、各ローラはコピー出力処理の給紙を行う際、記録紙を実際に搬送する役割を担っている。
【００４３】
図２は定着ローラ３２の詳細を示した図である。但し、本発明の特徴である電磁誘導加熱を行う部分（加熱ローラ１０４）のみを示している。
【００４４】
定着ローラ３２は、加熱ローラ１０４と加圧ローラ（不図示）から成り、定着モータ２２０より駆動力を供給されることにより回転駆動する。又、加熱ローラと加圧ローラ間をトナー像が形成された記録紙が通過することにより、定着ローラ３２が加熱・加圧し、記録紙上にトナー像を定着する作用を提供している。
【００４５】
又、安定した画像を記録紙上に再現するためには、加熱ローラ１０４の表面温度が定着作用に最適な温度であることが求められる。このため、加熱ローラ１０４の表面温度を計測するために、加熱ローラ１０４の中央部に第１サーミスタ３１２、加熱ローラ１０４の端部に第2 サーミスタ３１４が設置されている。
【００４６】
第１サーミスタ３１２、第２サーミスタ３１４はそれぞれ加熱ローラ１０４の設置位置の温度を計測する装置である。
【００４７】
図３は加熱ローラ１０４の内部の詳細を示した図である。
【００４８】
ここで、本実施の形態の画像形成装置においては、定着ローラ３２の中心を基準とし、記録紙の中心が定着ローラ３２の中心と沿うように搬送制御が実行される。
【００４９】
コイル１０８に高周波電流を投入すると、コイル１０８より磁束が発生する。発生した磁束はフェライトコア１０６に沿って、加熱ローラ１０４に導かれ、加熱ローラ１０４内では磁束により誘導渦電流が発生する。この誘導渦電流と加熱ローラの１０４の表面抵抗により、加熱ローラ１０４自身が発熱する。
【００５０】
又、前述のフェライトコア１０６は、定着ローラ面を均一に加熱するように、加熱ローラ１０４の加熱面とほぼ同じ長さで設置されている。
【００５１】
このため、誘導渦電流による定着ローラの加熱面の幅とほぼ同じサイズの記録紙が定着ローラ３２を通過する場合、定着ローラから奪われる熱量は定着ローラの加熱面から見て一定である。しかし、定着ローラ３２の加熱面の幅より小さいサイズの記録紙が定着ローラ３２を通過する場合、定着ローラ３２の中心部の熱は記録紙の通過により奪われるが、記録紙の通過しない両端部は誘導渦電流の加熱により温度上昇を続ける。
【００５２】
従って、定着ローラ３２の加熱面の幅より小さいサイズの記録紙を連続して、画像形成装置が通紙を行った場合、定着ローラ３２の温度は不均一となる。この不均一の状態で、記録紙が定着ローラ３２を通過した場合、記録紙にシワが発生する原因となる。又、定着温度の不均一により、記録紙上に形成された画像の定着性の劣化原因ともなる。
【００５３】
一方、アルミ等の特定の物質は磁束を通しにくい性質を有する。これを遮蔽板１１０に加工し、加熱ローラ１０４とフェライトコア１０６の間に設置すると、磁束の通過を妨げることになる。これにより加熱ローラ１０４内の渦電流の発生を抑制することができ、加熱ローラ１０４の発熱を抑えることが可能である。
【００５４】
図で示したように、アルミで構成された遮蔽板１１０は所定紙幅に一致した凹形状になっている。又、遮蔽板１１０は、ステッピングモータ２１０により駆動される構成となっている。
【００５５】
これにより、比較的紙幅の狭い記録紙を連続して定着を行った場合に発生する、上述の定着ローラ端部の昇温発生を検知した時に、遮蔽板１１０をステッピングモータ２１０により駆動し、遮蔽板１１０により、フェライトコア１０６と加熱ローラ１０４の間を遮蔽し、端部の加熱を防ぐことが可能である。
【００５６】
又、４１０は位置検知センサであり、４２０はスリットである。スリット４２０は遮蔽板１１０と同期して駆動し、スリット４２０が位置検知センサ４１０上に来た場合、遮蔽板１１０はフェライトコア１０６を完全に遮蔽しない位置（以下、ホームポジション位置）になる。即ち、位置検知センサ４１０により、スリット４２０を検知することで、ホームポジションを検知することが可能となる構成である。
【００５７】
図４は画像形成装置において、遮蔽板を駆動させずに加熱ローラ１０４の加熱範囲より狭い紙幅の記録紙を搬送したときにおける加熱ローラ１０４の表面温度分布を示したグラフである。
【００５８】
図で示したように、遮蔽板を駆動させずに加熱ローラ１０４の加熱範囲より狭い紙幅の記録紙を搬送したときにおける加熱ローラ１０４の表面温度の分布は、通紙範囲１００４の温度が比較的低く、又、非通紙部は比較的高くなる。これは、記録紙が加熱ローラ１０４の熱を奪うためである。記録紙に形成されたトナー像を安定した画像として記録紙に定着するためには、この通紙範囲１００４の温度を目標となる温度で一定に保つ必要がある。
【００５９】
そこで、加熱ローラ１０４の中央部に設置された第１サーミスタ３１２により、温度を計測し、目標温度との差から、加熱ローラ１０４に供給される熱量を演算し、それを加熱ローラ１０４に入力する制御が行われる。
【００６０】
しかし、加熱ローラ１０４は、均一に加熱するようにコイル１０８及びフェライトコア１０６は配置されている。従って、通紙範囲１００４の温度に合わせて、温度制御を実行すると、非通紙部分が図のように高温になってしまう。
【００６１】
このような非通紙部の高温の状況は、定着装置自身や定着装置周囲の装置の故障の原因となり得る。又、このような状況で、異なる紙幅の記録紙が通紙された場合、定着温度のムラが生じているため、記録紙上の定着画像に悪影響を及ぼす原因ともなる。
【００６２】
図５は画像形成装置において、加熱ローラ１０４の加熱範囲より狭い紙幅の記録紙を搬送したときにおける加熱ローラ１０４の中央部と端部の温度差を示したグラフである。これは遮蔽板が正常に動作しているときの温度変化を示している。加熱ローラ１０４の中央部の温度は、第１サーミスタ３１２により計測される。又、端部の温度は、第２サーミスタ３１４により計測される。ここで、ΔＴは第２サーミスタ３１４から第１サーミスタ３１２の温度の差を取ったものである。
【００６３】
図のように、定着装置に加熱ローラ１０４の加熱範囲より狭い紙幅の記録紙を連続して搬送を実行すると、時間が経過するに従い加熱ローラ１０４の端部温度が上昇してくる。それにより端部と中央部の温度差であるΔＴの値も大きくなる。
【００６４】
本発明の定着装置の制御では、ΔＴが１１０８で示されている基準温度Ｔ３を超えたとき、遮蔽板１１０をフェライトコア１０６と加熱ローラ１０４の間の位置へと駆動する制御を実行する。
【００６５】
遮蔽板１１０をフェライトコア１０６と加熱ローラ１０４の間の位置にある場合、遮蔽部分に供給される熱量は劇的に減少する。このため、加熱ローラ１０４の端部の温度は除々に下降し、それに従いΔＴも減少する。
【００６６】
遮蔽板１１０がフェライトコア１０６と加熱ローラ１０４の間の位置にあり、ΔＴが減少し、１１１０で示されている基準温度Ｔ４以下になった場合、遮蔽板１１０をフェライトコア１０６と加熱ローラ１０４の間から退避させる駆動を実行する。
【００６７】
このような加熱ローラ１０４の中央部と端部の温度差により、遮蔽板１１０を駆動させることにより、加熱ローラ１０４の温度を均一化する制御を行っている。
【００６８】
図６は遮蔽板が正常に動作できなかった場合の加熱ローラ１０４の中央部と端部の温度差を示したグラフである。
【００６９】
図５で説明したように、定着装置に加熱ローラ１０４の加熱範囲より狭い紙幅の記録紙を連続して搬送を実行すると、端部と中央部の温度差であるΔＴの値が大きくなる。ΔＴが１１０８で示されている基準温度Ｔ３を超えたとき、遮蔽板１１０をフェライトコア１０６と加熱ローラ１０４の間の位置へと駆動する制御を実行する。
【００７０】
ところが、何らかの理由で、遮蔽板１１０をフェライトコア１０６と加熱ローラ１０４の間の位置へと移動できなかった場合、ΔＴは上昇を続けてしまう。このまま放置してしまうと、加熱ローラ端部の温度が上がり過ぎてしまい、装置の故障や延ては装置の安全性に影響を及ぼし兼ねない。
【００７１】
そこで、ΔＴが基準温度Ｔ２を超えたとき、コイル１０８に流している高周波電流を遮断し、電磁誘導加熱そのものを停止させる。但し、この間も定着装置による記録紙上への定着処理は処理速度を落として続行される。
【００７２】
電磁誘導加熱そのものを停止させ、且つ、定着処理の処理速度を落とした状態で経過させると、ΔＴの値も低下してくる。
【００７３】
ΔＴが基準温度Ｔ４を超えるまで低下した時点で、電磁誘導加熱を再開し、又、ダウンシーケンスからも復帰する処理が行われる制御が実行される。
【００７４】
図７は遮蔽板が正常に動作できなかった場合の、加熱ローラ１０４の加熱制御を示したフローチャートである。
【００７５】
ステップ１０２においては、第１サーミスタ３１２の温度、即ち、加熱ローラ１０４の中央部の温度を読み出す処理を実行し、変数Ｔmainに格納している。処理後、ステップ１０４へ進む。
【００７６】
ステップ１０４においては、第２サーミスタ３１４の温度、即ち加熱ローラ１０４の中央部の温度を読み出す処理を実行し、変数Ｔsub に格納している。処理後、ステップ１０６へ進む。
【００７７】
ステップ１０６においては、第１サーミスタ３１２の温度Ｔmainと第２サーミスタ３１４の温度Ｔsub
の温度差ΔＴを演算している。演算後、処理をステップ１０８へ進める。
【００７８】
ステップ１０８においては、ΔＴと閾値Ｔ２との比較を行い、処理を分岐させている。即ち、もしΔＴがＴ２より大きければ、第１サーミスタ３１２の温度Ｔmainに対して第２サーミスタ３１４の温度Ｔsub の温度が上昇していると判断できる。即ち、端部昇温の状態であると判断し、処理をステップ１１０に進める。又、もし、ΔＴがＴ２以下であれば、処理をステップ１１４へ進める。
【００７９】
ステップ１１０においては、第２サーミスタ３１４の温度Ｔsub が第１サーミスタの温度と相対的に上昇していると判断し、電磁誘導加熱を停止する処理を実行している。停止後、処理をステップ１１２へ進める。
【００８０】
ステップ１１２においては、電磁誘導加熱を停止しているため、定着ローラ３２を単位時間当たりに通過する記録紙の枚数を制限する処理（ダウンシーケンス）を呼び出している。ダウンシーケンスに入った場合、画像形成装置における画像形成の生産性は減少するが、記録紙上への画像形成処理そのものは続けられるため、或る程度の生産性を確保することが可能である。
【００８１】
ステップ１１４においては、ΔＴと閾値Ｔ４との比較を行い、処理を分岐させている。即ち、もし、ΔＴがＴ４より大きければ、本処理は終了となる。又、もし、ΔＴがＴ４以下でであれば、処理をステップ１１６へ進める。
【００８２】
ステップ１１６においては、もしステップ１１０で電磁誘導加熱を停止しているならば、電磁誘導加熱を再開する処理が実行される。再開後、処理をステップ１１８へ進める。
【００８３】
ステップ１１８においては、もしステップ１１２でダウンシーケンス処理が実行されているならば、ダウンシーケンスを解除する処理を呼び出している。ダウンシーケンス処理終了後、本処理は終了となる。
【００８４】
又、本処理ループは定着装置３２が記録紙の定着処理中は、周期的に呼び出され、エラー判断処理が実行される。
【００８５】
図８は回転板４０５の構成を示した図である。
【００８６】
回転板４０５には、図のように複数のスリット４２０が設置されており、それぞれのスリット４２０は遮蔽板の特定位置に一致するように設置されている。
【００８７】
遮蔽板１１０が目標となる位置に到達したか否かは、初期位置からの複数のスリット４２０の数を位置検知センサ４１０によりカウントすることにより、判断可能となっている。
【００８８】
図９は遮蔽板１１０の駆動制御及び駆動異常検知制御フローを示したフローチャートである。
【００８９】
本制御処理は、本実施の形態において、図５で説明されたタイミングにおいて、遮蔽板１１０の駆動が必要な際に、呼び出される処理である。本処理は開始後、ステップ２０２が実行される。
【００９０】
ステップ２０２では、遮蔽板１１０の移動位置に対応したステッピングモータへ供給されるパルス数が設定される。設定後、ステップ２０４へ進む。
【００９１】
ステップ２０４では、ステッピングモータ２１０の駆動を開始する。モータ駆動開始後、処理をステップ２０６へ進める。
【００９２】
ステップ２０６では、図７で説明したように、遮蔽板１１０移動中に位置検知センサ４１０で検知されたスリット４２０の数をカウントする処理が実行されている。本処理はステップ２０８でのステッピングモータが駆動されている間は常に実行されている。ステップ２０８で、ステッピングモータ２１０の所定移動分の時刻が経過した後、処理をステップ２１０へと移す。
【００９３】
ステップ２１０では、ステップ２０６でカウントされた所定パルス数時間でのカウント値と、所定移動位置までの規定値を比較する処理が呼び出されている。もしカウント値と規定値が一致したならば、処理をステップ２１２へ進める。又、もしカウント値と規定値が一致しなかったならば、処理をステップ２１４へ進める。
【００９４】
ステップ２１２では、ステッピングモータ２１０による遮蔽板１１０の移動が正常に終了したと判断し、正常終了を通知する処理を呼び出している。通知後、本処理は終了となる。
【００９５】
ステップ２１４では、遮蔽板１１０の駆動ができなかったことと判断し、エラー通知処理を実行している。通知後、本処理は終了となる。
【図面の簡単な説明】
【００９６】
【図１】本発明の画像形成装置が適用された実施の形態の内部構成図である。
【図２】定着ローラの詳細を示した図である。
【図３】加熱ローラの内部の詳細を示した図である。
【図４】加熱ローラの表面温度分布を示したグラフである。
【図５】遮蔽板が正常に動作した場合の加熱ローラの中央部と端部の温度差を示したグラフである。
【図６】遮蔽板が正常に動作できなかった場合の加熱ローラの中央部と端部の温度差を示したグラフである。
【図７】遮蔽板が正常に動作できなかった場合の加熱ローラの加熱制御を示したフローチャートである。
【図８】回転板の構成図である。
【図９】遮蔽板の駆動制御及び駆動異常検知制御フローを示すフローチャートである。
【符号の説明】
【００９７】
１０    本体画像出力部
１１    本体画像入力部
３２    定着ローラ
１０４  加熱ローラ
１０６  フェライトコア
１０８  コイル
１１０  遮蔽板
３１２  第１サーミスタ
３１４  第２サーミスタ
２１０  ステッピングモータ
４１０  位置検知センサー
４２０  スリット
【図１】
2006195102.tif 000003
【図２】
2006195102.tif 000004
【図３】
2006195102.tif 000005
【図４】
2006195102.tif 000006
【図５】
2006195102.tif 000007
【図６】
2006195102.tif 000008
【図７】
2006195102.tif 000009
【図８】
2006195102.tif 000010
【図９】
2006195102.tif 000011